(57)【要約】【課題】歩行型管理機等の小型移動農機を車両の荷室に積み込んで運搬する際、当該小型移動農機の車輪や耕耘装置から落下する土塊により車両の荷室が汚れるといった不具合を解消する。【解決手段】小型移動農機１を車両２６等の荷室２６ａに積み込んで運搬する際に使用可能な小型移動農機１の収容体２５の全体形状をトレー状に形成し、その底部２５ａに、少なくとも小型移動農機１の走行車輪４や耕耘装置５を保持し得る保持部Ｆ，Ｇを設けると共に、収容体２５の縁辺２５ｂに把持部Ｈを設けた。【選択図】図９
2010167840.tif 000002
【特許請求の範囲】
【請求項１】
小型移動農機（１）を車両（２６）等の荷室（２６ａ）に積み込んで運搬する際に使用可能な小型移動農機（１）の収容体（２５）であって、該収容体（２５）の全体形状をトレー状に形成すると共に、その底部（２５ａ）に、少なくとも小型移動農機（１）の走行車輪（４）と耕耘装置（５）を保持し得る保持部（Ｆ，Ｇ）を設けたことを特徴とする小型移動農機の収容体。
【請求項２】
前記収容体（２５）の縁辺（２５ｂ）に把持部（Ｈ）を設けた請求項１に記載の小型移動農機の収容体。
【発明の詳細な説明】
【技術分野】
【０００１】
本発明は、小型移動農機を車両等の荷室に積み込んで運搬する際に使用可能な小型移動農機の収容体に関する。
【背景技術】
【０００２】
従来、歩行型管理機等の小型移動農機を車両の荷室に積み込んで運搬する際は、この小型移動農機の基体部を構成する車輪や耕耘装置を段ボールからなる収容底材を用いて被包した状態で運搬作業が行なわれている（例えば、特許文献１参照）。
【先行技術文献】
【特許文献】
【０００３】
【特許文献１】実開昭５７−２０２９６０号公報（第３図）
【発明の概要】
【発明が解決しようとする課題】
【０００４】
しかし、上述した段ボールからなる収容底材は、小型移動農機の搬送が終了して開梱されると全てがゴミとなり廃棄しなければならなかった。一方、圃場において小型移動農機による耕耘作業を行なった後、この小型移動農機を車両の荷室に積み込んで運搬する際は、当該小型移動農機の車輪や耕耘装置から落下する土塊により車両の荷室が汚れるといった不具合が起きていた。
【課題を解決するための手段】
【０００５】
本発明は、上記課題を解決することを目的としたものであり、小型移動農機を車両等の荷室に積み込んで運搬する際に使用可能な小型移動農機の収容体であって、該収容体の全体形状をトレー状に形成すると共に、その底部に、少なくとも小型移動農機の走行車輪と耕耘装置を保持し得る保持部を設けたことを第１の特徴としている。
そして、前記収容体の縁辺に把持部を設けたことを第２の特徴としている。
【発明の効果】
【０００６】
請求項１の発明によれば、収容体の全体形状をトレー状に形成すると共に、その底部に、少なくとも小型移動農機の走行車輪と耕耘装置を保持し得る保持部を設けたことによって、小型移動農機を車両の荷室に積み込んで運搬する際は、当該小型移動農機の走行車輪や耕耘装置等から落下する土塊が車両の荷室に直接落下することなく収容体の底部に溜まるので、車両の荷室が汚れるといった従来の不具合を解消することができる。そして、前記運搬時に小型移動農機の走行車輪や耕耘装置等が収容体の底部に設けた保持部に確実に保持されるので、運搬時における不要な機体振動の発生を抑制することができる。また、前記収容体は、繰り返し使用が可能であると共に、小型移動農機を倉庫等に保管する際にも用いることができるので汎用性に優れている。
そして、請求項２の発明によれば、前記収容体の縁辺に把持部を設けたので、この把持部を利用することにより車両等の荷室への小型移動農機の積み込み、または積み降ろし作業を容易に行えるようになる。
【図面の簡単な説明】
【０００７】
【図１】歩行型管理機の側面図。
【図２】歩行型管理機の平面図。
【図３】カバー体の取り付け状態を示す平断面図。
【図４】カバー体の取り付け状態を示す側面図。
【図５】収容体を用いて歩行型管理機を車両の荷室に積み込んだ状態を示す概要図。
【図６】（ａ）〜（ｃ）収容体の正面図、平面図、及び側面図。
【図７】図６（ｂ）におけるＢＢ断面図。
【図８】図６（ｂ）におけるＣＣ断面図。
【図９】図６（ｂ）におけるＤＤ断面図。
【図１０】図６（ｂ）におけるＥＥ断面図。
【図１１】歩行型管理機を収容した収容体にカバー体を装着した状態を示す断面図。
【図１２】（ａ）、（ｂ）収容体の長さ方向の断面図と幅方向の断面図。
【図１３】（ａ）、（ｂ）カバー体の長さ方向の側面図と幅方向の側面図。
【発明を実施するための形態】
【０００８】
以下、本発明の実施の形態を図面に基づいて詳細に説明する。
【実施例１】
【０００９】
図１及び図２は、小型移動農機の一例である歩行型管理機１の側面図と平面図であって、歩行型管理機１は、その機体を構成する側面視で逆へ字状のミッションケース２を中央に配設してあり、該ミッションケース２の後側下部に車軸３を軸架して走行車輪４を取り付ける一方、ミッションケース２の前側下部には、ロータリ耕耘装置５を構成する複数の耕耘爪６を植設した耕耘軸７を横架している。
【００１０】
そして、ミッションケース２の上部に取付けたエンジンフレーム８にエンジン９を載置すると共に、このエンジン９の左側に配設した箱蓋状のカバー体１１によって、図３及び図４に示す如くエンジン９の動力を出力する出力プーリ１２、ミッションケース２の入力プーリ１３、及び両プーリ１２，１３に巻き掛けたＶベルト１４からなるベルト伝動装置１５が露出しないように安全に覆われている。
【００１１】
尚、前記両プーリ１２，１３間には、揺動自在なテンションプーリ１６を備えたテンションクラッチ機構１７が設けてあり、このテンションプーリ１６の揺動によりＶベルト１４のテンションを緊緩することによって、エンジン９とミッションケース２間の動力の断接がなされる。そして、ミッションケース２内に入力された動力は、当該ミッションケース２内の図示しない変速機構を介して変速された後、走行車輪４やロータリ耕耘装置５に伝達されるようになっている。
【００１２】
また、ミッションケース２の上部には、後方に向けて操縦ハンドル１８が延設してあって、この操縦ハンドル１８をオペレータが把持した状態で歩行型管理機１を走行させながら、ロータリ耕耘装置５の耕耘爪６を回転駆動させることによって耕耘作業が行えるようになっている。
【００１３】
また、エンジン９の上部に燃料タンク１９を配設すると共に、この燃料タンク１９の周囲を覆うプラスチック製のエンジンカバー（ボンネット）２１を取付けている。そして、ロータリ耕耘装置５の耕耘爪６の上方には、該耕耘爪６を覆うプラスチック製のロータリカバー２２を設けている。尚、ロータリ耕耘装置５の中央前方には、高さ調節可能なゲージ輪２３が配設してあり、このゲージ輪２３の高さ位置を調節することによって、ロータリ耕耘装置５の耕深調節を行なうと共に、路上走行等の移動時においては、当該ゲージ輪２３を走行補助輪として使用できるように構成している。
【００１４】
ところで、図５は、全体形状をトレー状に形成した収容体２５に歩行型管理機１を収容し、しかる後に歩行型管理機１を車両（軽自動車）２６の荷室２６ａに積み込んだ状態を示す概要図であって、この時、操縦ハンドル１８を、その基端部に備えるノブ付ボルト２７を緩めて前倒し方向に回動させることにより折り畳んだ状態にすると共に、ミッションケース２から後方斜め上方に向かって突設されている主変速レバー２８を、その中途部Ａから取り外した後、ロータリカバー２２の上部に備える左右一対の保持部材２２ａに係合保持せしめている。更に、ロータリ耕耘装置５の中央前方に設けたゲージ輪２３を取り外すことによって、トレー状に形成した収容体２５内に歩行型管理機１をコンパクトに収納できるようになっている。
【００１５】
そして、図６（ａ）〜（ｃ）は、上述した収容体の正面図、平面図、及び側面図、また、図７は、図６（ｂ）におけるＢＢ断面図、図８は、図６（ｂ）におけるＣＣ断面図、図９は、図６（ｂ）におけるＤＤ断面図、図１０は、図６（ｂ）におけるＥＥ断面図であって、収容体２５は、熱可塑性樹脂を用いてブロー（中空）成形してあり、その全体形状は長方形のトレー状に形成している。更に詳しく説明すると、図６（ｂ）及び図７に示すように、収容体２５の底部２５ａの長さ方向に中空部（イ）と平板面（ロ）を交互に形成することによって、収容体２５の底部２５ａの剛性を確保すると共に、該収容体２５の底部２５ａ周縁から立ち上げた縁辺２５ｂによって、当該収容体２５の全体剛性と強度を確保している。
【００１６】
また、図６（ｂ）、図９及び図１０に示すように、収容体２５の底部２５ａには、その長さ方向の一端側に耕耘装置５の耕耘爪６を当接させた状態で保持し得る円弧状の保持部Ｆを形成すると共に、他端側には、走行車輪４に当接する回り止め角Ｒを有して当該走行車輪４を回転不能に保持し得る保持部Ｇを形成している。
【００１７】
以上説明したように、収容体２５の全体形状をトレー状に形成すると共に、その底部２５ａに、少なくとも歩行型管理機１の走行車輪４やロータリ耕耘装置５を保持し得る保持部Ｆ、Ｇを設けたことによって、歩行型管理機１を車両（軽自動車）２６の荷室２６ａに積み込んで運搬する際は、当該歩行型管理機１の走行車輪４やロータリ耕耘装置５等から落下する土塊が車両２６の荷室２６ａに直接落下することなく収容体２５の底部２５ａに溜まるので、車両２６の荷室２６ａが汚れるといった従来の不具合を解消することができる。そして、前記運搬時に歩行型管理機１の走行車輪４やロータリ耕耘装置５等が収容体２５の底部に設けた保持部Ｆ、Ｇに確実に保持されるので、運搬時における不要な機体振動の発生を抑制することができる。また、収容体２５は、繰り返し使用が可能であると共に、歩行型管理機１を倉庫等に保管する際にも用いることができるので汎用性に優れている。更に、収容体２５は、熱可塑性樹脂を用いてブロー成形しているので、従来の段ボールからなる収容底材のように湿潤による変形が起こらない。
【００１８】
また、収容体２５の底部２５ａ周縁から立ち上げた対向する幅方向の縁辺２５ｂ部位には、作業者が持つ（握る）ことができる把持部としての一対の取っ手Ｈを設けてあり、この取っ手Ｈを利用することにより車両２６等の荷室２６ａへの歩行型管理機１の積み込み、または積み降ろし作業を容易に行えるようになる。更に、前記取っ手Ｈ（孔）を利用してロープ掛けすることによって、車両２６等の荷室２６ａに収容体２５を確実に固定することができる。
【実施例２】
【００１９】
図１１は、全体形状をトレー状に形成した収容体２５に歩行型管理機１を収容し、しかる後に歩行型管理機１の上方からカバー体３１を装着した状態を示す断面図であって、この時、実施例１と同様に、操縦ハンドル１８を、その基端部に備えるノブ付ボルト２７を緩めて前倒し方向に回動させることにより折り畳んだ状態にすると共に、ミッションケース２から後方斜め上方に向かって突設されている主変速レバー２８を、その中途部Ａから取り外した後、ロータリカバー２２の上部に備える左右一対の保持部材２２ａに係合保持せしめている。更に、ロータリ耕耘装置５の中央前方に設けたゲージ輪２３を取り外すことによって、トレー状に形成した収容体２５内に歩行型管理機１をコンパクトに収納できるようになっている。
【００２０】
上述した収容体２５は、熱可塑性樹脂を用いてブロー（中空）成形してあり、その全体形状は実施例１と同様に長方形のトレー状に形成している。そして、図１２（ａ）、（ｂ）は、収容体２５の長さ方向の断面図と幅方向の断面図、また、図１３（ａ）、（ｂ）は、熱可塑性樹脂を用いて射出成形されているカバー体３１の長さ方向の側面図と幅方向の側面図であって、収容体２５の底部２５ａには、その長さ方向の一端側に耕耘装置５の耕耘爪６を保持し得る凹状の保持部Ｆを形成すると共に、他端側には、走行車輪４に当接する回り止め角Ｒを有して当該走行車輪４を保持し得る保持部Ｇを形成している。
【００２１】
そして、収容体２５の底部２５ａ周縁から立ち上げた対向する幅方向の縁辺２５ｂ部位には、作業者が両手を掛ける把持部（取っ手）として利用することができる２個口の孔Ｈを設けてあり、これら２個口の孔Ｈを利用することにより車両２６等の荷室２６ａへの歩行型管理機１の積み込み、または積み降ろし作業を容易に行えるようになる。更に、前記２個口の孔Ｈを利用してロープ掛けすることによって、車両２６等の荷室２６ａに収容体２５を確実に固定することができる。
【００２２】
また、収容体２５の底部２５ａ周縁から立ち上げた対向する幅方向の縁辺２５ｂ上部には、カバー体３１の下部に形成した一対の係止孔（長孔）Ｈ１に嵌装して、当該カバー体３１の不用意な外れ防止を図る一対の突起部Ｔを設けている。一方、カバー体３１は、比較的浅い縁辺２５ｂを有する収容体２５に歩行型管理機１を収容した状態で、該歩行型管理機１を上方から覆わなければならないので、天板部３１ａの深さが深い長方形の箱体状に形成してある。尚、図中符号３１ｂは、収容体２５の縁辺２５ｂ上端の全周に亘って当接する補強リブを兼ねた段部である。また、図中符号３１ｃは、カバー体３１の外周に所定の間隔を存して形成する補強リブである。
【００２３】
以上説明したように、実施例２の収容体２５は、実施例１と同様に、収容体２５の全体形状をトレー状に形成すると共に、その底部２５ａに、少なくとも歩行型管理機１の走行車輪４やロータリ耕耘装置５を保持し得る保持部Ｆ、Ｇを設けたことによって、歩行型管理機１を車両（軽自動車）２６の荷室２６ａに積み込んで運搬する際は、当該歩行型管理機１の走行車輪４やロータリ耕耘装置５等から落下する土塊が車両２６の荷室２６ａに直接落下することなく収容体２５の底部２５ａに溜まるので、車両２６の荷室２６ａが汚れるといった従来の不具合を解消することができる。そして、前記運搬時に歩行型管理機１の走行車輪４とロータリ耕耘装置５が収容体２５の底部に設けた保持部Ｆ、Ｇに確実に保持されるので、運搬時における不要な機体振動の発生を抑制することができる。
【００２４】
そして、全体形状をトレー状に形成した収容体２５に歩行型管理機１を収容し、しかる後に歩行型管理機１の上方からカバー体３１を装着しているので、歩行型管理機１を倉庫等に長期保管する際に機体に塵埃が付着することを防止できるようになると共に、収容体２５とカバー体３１を熱可塑性樹脂で成形しているので、従来の段ボールからなる収容底材のように湿潤による変形が起こらない。また、歩行型管理機１を収容体２５に収容し、且つ上方からカバー体３１を装着した状態にすると倉庫等において段積み保管することも可能になる。
【産業上の利用可能性】
【００２５】
本発明は、車両等の荷室に積み込むことができる比較的小型の耕運機や運搬車に適用することができる。
【符号の説明】
【００２６】
１      小型移動農機
４      走行車輪
５      耕耘装置
２５    収容体
２５ａ  底部
２５ｂ  縁辺
２６    車両
２６ａ  荷室
Ｆ      保持部
Ｇ      保持部
Ｈ      把持部
【図１】
2010167840.tif 000003
【図２】
2010167840.tif 000004
【図３】
2010167840.tif 000005
【図４】
2010167840.tif 000006
【図５】
2010167840.tif 000007
【図６】
2010167840.tif 000008
【図７】
2010167840.tif 000009
【図８】
2010167840.tif 000010
【図９】
2010167840.tif 000011
【図１０】
2010167840.tif 000012
【図１１】
2010167840.tif 000013
【図１２】
2010167840.tif 000014
【図１３】
2010167840.tif 000015